(57)【特許請求の範囲】
【請求項１】
他の通信端末との間で通話を行うことができる一方、所用の操作に応じて報知を行う通信装置であって、
前記他の通信端末との間で通話状態か否かを検出する通話状態検出手段と、
受話音量が所定レベル未満に設定されているか否かを判断する受話音量判断手段と、
前記通話状態検出手段による検出結果から通話状態にあって、前記受話音量判断手段によって受話音量が所定レベル未満に設定されていると判断した際に、所用の操作がなされた場合、待機状態で行う報知とは異なる報知を行う報知制御手段とを有することを特徴とする通信装置。
【請求項２】
複数ある他の通信端末との間で通話を行うことができる一方、前記複数の通信端末のいずれかからの呼び出しに応じて報知を行う通信装置であって、
前記複数の通信端末のいずれかとの間で通話状態か否かを検出する通話状態検出手段と、
受話音量が所定レベル未満に設定されているか否かを判断する受話音量判断手段と、
前記通話状態検出手段による検出結果から通話状態にあって、前記受話音量判断手段によって受話音量が所定レベル未満に設定されていると判断した際に、その通話状態に対応する通信端末以外の他の通信端末から呼び出しがある場合、待機状態で行う報知とは異なる報知を行う報知制御手段とを有することを特徴とする通信装置。
【請求項３】
前記報知制御手段は、前記通話状態検出手段によって通話状態でないと検出され、所用の操作中に他の端末から呼び出しがある場合にも、待機状態で行う報知とは異なる報知を行う、請求項２に記載の通信装置。
【請求項４】
前記報知制御手段は、報知音の音量を変化させるものとする、請求項１ないし３のいずれかに記載の通信装置。
【請求項５】
前記報知制御手段は、待機状態よりもオンフックでの通話状態において、かつ、オンフックよりもオフフックでの通話状態において、報知音が小さくなるものとする、請求項１ないし４のいずれかに記載の通信装置。
【請求項６】
前記報知制御手段による報知方法は、振動、点滅の少なくともいずれかを選択的に用いる、請求項２または３に記載の通信装置。
【請求項７】
コンピュータを、他の通信端末との間で通話を行うことができる一方、所用の操作に応じて報知を行う通信装置として機能させるためのコンピュータプログラムであって、前記コンピュータを、
前記他の通信端末との間で通話状態か否かを検出するための通話状態検出手段と、
受話音量が所定レベル未満に設定されているか否かを判断する受話音量判断手段と、
前記通話状態検出手段による検出結果から通話状態にあって、前記受話音量判断手段によって受話音量が所定レベル未満に設定されていると判断した際に、所用の操作がなされた場合、待機状態で行う報知とは異なる報知を行うための報知制御手段として機能させることを特徴とするコンピュータプログラム。
【請求項８】
コンピュータを、複数ある他の通信端末との間で通話を行うことができる一方、前記複数の通信端末のいずれかからの呼び出しに応じて報知を行う通信装置として機能させるためのコンピュータプログラムであって、前記コンピュータを、
前記複数の通信端末のいずれかとの間で通話状態か否かを検出するための通話状態検出手段と、
受話音量が所定レベル未満に設定されているか否かを判断する受話音量判断手段と、
前記通話状態検出手段による検出結果から通話状態にあって、前記受話音量判断手段によって受話音量が所定レベル未満に設定されていると判断した際に、その通話状態に対応する通信端末以外の他の通信端末から呼び出しがある場合、待機状態で行う報知とは異なる報知を行うための報知制御手段として機能させることを特徴とするコンピュータプログラム。
【発明の詳細な説明】
【０００１】
【発明の属する技術分野】
本発明は、たとえば報知音として通話中に操作音を発生したり、他の通信端末からの呼び出し音を発生させたりすることができるファクシミリ装置などの通信装置に関する。
【０００２】
【従来の技術】
従来のファクシミリ装置には、外線通話のほか、たとえば親機と子機との間で内線通話を可能としたものや、ドアホンとの間で通話を可能としたものがある。このような外線通話、内線通話、さらにはドアホンを介した通話に際しては、相手の声が小さ過ぎたり大き過ぎたりすることもあることから、キー操作に応じて受話音量を変更できる付加的機能を備えたファクシミリ装置もある。一般に、受話音量の変更に関わらず何らかのキー操作を行う場合には、報知音としてのキー操作音が発生するものとされる。また、たとえば内線通話中に外線やドアホンからの呼び出しがある場合には、呼び出し元に応じた音色で報知音としての呼び出し音が発生するものとされる。
【０００３】
【発明が解決しようとする課題】
しかしながら、通話中にキー操作音や呼び出し音が発生すると、その音が耳元で使用中のハンドセット内のスピーカを通じて聞こえることとなり、キー操作音や呼び出し音が耳障りとなって通話に支障を来すおそれがあった。
【０００４】
本発明は、上記の点に鑑みて提案されたものであって、通話中に行われるキー操作や呼び出しについて、通話の妨げにならずに適切に報知することができる通信装置、およびそのような通信装置の動作を実現するためのコンピュータプログラムを提供することを目的とする。
【０００５】
【課題を解決するための手段】
上記目的を達成するために、請求項１に記載した発明の通信装置は、他の通信端末との間で通話を行うことができる一方、所用の操作に応じて報知を行う通信装置であって、前記他の通信端末との間で通話状態か否かを検出する通話状態検出手段と、受話音量が所定レベル未満に設定されているか否かを判断する受話音量判断手段と、前記通話状態検出手段による検出結果から通話状態にあって、前記受話音量判断手段によって受話音量が所定レベル未満に設定されていると判断した際に、所用の操作がなされた場合、待機状態で行う報知とは異なる報知を行う報知制御手段とを有することを特徴とする。
【０００６】
このような通信装置によれば、たとえば通話中に受話音量を変更するためのキー操作を行っても、受話音量が所定レベル未満に設定されている場合は、待機状態とは異なる報知（キー操作音など）が発生するので、通話相手の音声を聞き取りやすくしつつその音によってかき消されないように適切に操作状態を使用者に報知することができる。
【０００７】
また、請求項２に記載した発明の通信装置は、複数ある他の通信端末との間で通話を行うことができる一方、前記複数の通信端末のいずれかからの呼び出しに応じて報知を行う通信装置であって、前記複数の通信端末のいずれかとの間で通話状態か否かを検出する通話状態検出手段と、受話音量が所定レベル未満に設定されているか否かを判断する受話音量判断手段と、前記通話状態検出手段による検出結果から通話状態にあって、前記受話音量判断手段によって受話音量が所定レベル未満に設定されていると判断した際に、その通話状態に対応する通信端末以外の他の通信端末から呼び出しがある場合、待機状態で行う報知とは異なる報知を行う報知制御手段とを有することを特徴とする。
【０００８】
このような通信装置によれば、たとえば内線通話中に外線やドアホンからの呼び出しがあっても、受話音量が所定レベル未満に設定されている場合は、待機状態とは異なる報知（たとえば、待機状態より小さな呼び出し音）が発生するので、通話相手の音声を聞き取りやすくしつつその音によってかき消されないように適切に呼び出しの有無を使用者に覚知させることができる。
【０００９】
さらに、請求項３に記載した発明の通信装置は、請求項２に記載の通信装置であって、前記報知制御手段は、前記通話状態検出手段によって通話状態でないと検出され、所用の操作中に他の端末から呼び出しがある場合にも、待機状態で行う報知とは異なる報知を行う。
【００１０】
このような通信装置によれば、請求項２に記載の通信装置による効果に加えて、所用の操作中に他の端末から呼び出しがある場合にも待機状態で行う報知とは異なる報知を行うため、装置の操作状態に適した報知を行うことができる。たとえば、電話帳やコマンド登録などの各種操作を行っているときに呼び出しがあったような場合に、完全な待機状態とは異なる態様の報知を行うことで、上記操作に対する支障なく報知を適切に行うことができる。
【００１１】
また、請求項４に記載した発明の通信装置は、請求項１ないし３のいずれかに記載の通信装置であって、前記報知制御手段は、報知音の音量を変化させるものとする。
【００１２】
このような通信装置によれば、請求項１ないし３のいずれかに記載の通信装置による効果に加えて、状況に応じて報知音の音量を小さくしたり大きくしたりすることが自動的にできる。
【００１３】
さらに、請求項５に記載した発明の通信装置は、請求項１ないし４のいずれかに記載の通信装置であって、前記報知制御手段は、待機状態よりもオンフックでの通話状態において、かつ、オンフックよりもオフフックでの通話状態において、報知音が小さくなるものとする。
【００１４】
このような通信装置によれば、請求項１ないし４のいずれかに記載の通信装置による効果に加えて、待機状態における報知音としての操作音または呼び出し音を通常の音量とすれば、いわゆるハンズフリー通話によるオンフックでの通話中における操作音または呼び出し音を通常より小さくでき、ハンドセットを耳元に近づけて使用するオフフックでの通話中には、操作音または呼び出し音をさらに小さくできるので、これら操作音や呼び出し音が耳障りとなりやすい使用形態に応じて段階的に操作音や呼び出し音の音量を自動調整することができる。
【００１５】
また、請求項６に記載した発明の通信装置は、請求項２または３に記載の通信装置であって、前記報知制御手段による報知方法は、振動、点滅の少なくともいずれかを選択的に用いる。
【００１６】
【００１７】
さらに、請求項７に記載した発明のコンピュータプログラムは、コンピュータを、他の通信端末との間で通話を行うことができる一方、所用の操作に応じて報知を行う通信装置として機能させるためのコンピュータプログラムであって、前記コンピュータを、前記他の通信端末との間で通話状態か否かを検出するための通話状態検出手段と、受話音量が所定レベル未満に設定されているか否かを判断する受話音量判断手段と、前記通話状態検出手段による検出結果から通話状態にあって、前記受話音量判断手段によって受話音量が所定レベル未満に設定されていると判断した際に、所用の操作がなされた場合、待機状態で行う報知とは異なる報知を行うための報知制御手段として機能させることを特徴とする。
【００１８】
このようなコンピュータプログラムによれば、その内容に基づいてＣＰＵを動作させることにより、請求項１に記載の通信装置の動作を実現することができる。したがって、たとえばパーソナルコンピュータやＰＤＡ（Personal Digital Assistant）を用いて請求項１に記載の通信装置を実現することが容易である。
【００１９】
また、請求項８に記載した発明のコンピュータプログラムは、コンピュータを、複数ある他の通信端末との間で通話を行うことができる一方、前記複数の通信端末のいずれかからの呼び出しに応じて報知を行う通信装置として機能させるためのコンピュータプログラムであって、前記コンピュータを、前記複数の通信端末のいずれかとの間で通話状態か否かを検出するための通話状態検出手段と、受話音量が所定レベル未満に設定されているか否かを判断する受話音量判断手段と、前記通話状態検出手段による検出結果から通話状態にあって、前記受話音量判断手段によって受話音量が所定レベル未満に設定されていると判断した際に、その通話状態に対応する通信端末以外の他の通信端末から呼び出しがある場合、待機状態で行う報知とは異なる報知を行うための報知制御手段として機能させることを特徴とする。
【００２０】
このようなコンピュータプログラムによれば、その内容に基づいてＣＰＵを動作させることにより、上述と同様に、請求項２に記載の通信装置の動作を実現することができる。
【００２１】
【発明の実施の形態】
以下、本発明の好ましい実施の形態について図面を参照して説明する。
【００２２】
図１は、本発明に係る通信装置の一実施形態として、ファクシミリ装置を示すブロック図である。この図に示すように、本発明に係るファクシミリ装置は、親機としてのファクシミリ装置本体Ａ、子機としてのコードレス電話機Ｂ、およびファクシミリ装置本体Ａに接続されたドアホンＣを備えたものであって、外線通話のほか、ファクシミリ装置本体Ａとコードレス電話機Ｂとの間で内線通話を可能とし、ドアホンＣとの間で通話を可能としたものである。なお、以下の説明においては、符号Ａで示すファクシミリ装置本体を親機と呼び、符号Ｂで示すコードレス電話機を子機と呼ぶ。また、子機Ｂについては、図１に１つしか示さないが、もちろん複数あっても良い。さらに、ドアホンＣは、マイクロホンやスピーカなどを備え、一般に周知の構成であることから、詳細な図示説明を省略する。
【００２３】
まず、図１を参照して親機Ａについて説明すると、親機Ａは、ＣＰＵ１０、ＮＣＵ１１、ＲＡＭ１２、モデム１３、ＲＯＭ１４、ＮＶＲＡＭ（不揮発性ＲＡＭ：Non-Volatile RAM）１５、ゲートアレイ１６、コーデック１７、ＤＭＡＣ１８、読取部２１、印刷部２２、操作部２３、表示部２４、無線通信部２５、および接続部２６などを具備して概略構成されている。ＣＰＵ１０、ＮＣＵ１１、ＲＡＭ１２、モデム１３、ＲＯＭ１４、ＮＶＲＡＭ１５、ゲートアレイ１６、コーデック１７、およびＤＭＡＣ１８は、バス線２７により相互に接続されている。バス線２７には、アドレスバス、データバス、および制御信号線が含まれる。ゲートアレイ１６には、読取部２１、印刷部２２、操作部２３、表示部２４、無線通信部２５、および接続部２６が接続されている。ＮＣＵ１１には、公衆電話回線２８が接続されている。
【００２４】
ＣＰＵ１０は、親機全体の動作を制御する。ＮＣＵ１１は、公衆電話回線２８に接続されて網制御を行う。なお、特に図示しないがＮＣＵ１１には、マイクロホンやスピーカを内蔵したハンドセット（送受話器）が接続されている。ＲＡＭ１２は、ＣＰＵ１０の作業領域などを提供する。モデム１３は、音声信号の変調や復調などを行う。ＲＯＭ１４は、ＣＰＵ１０が実行すべきプログラムなどを記憶している。ＮＶＲＡＭ１５は、各種の情報やデータを記憶する。ゲートアレイ１６は、ＣＰＵ１０と各部２１〜２６とのインターフェイスとして機能する。コーデック１７は、音声信号やデータなどの符号化や復号化を行う。ＤＭＡＣ１８は、ＣＰＵ１０を介することなくＲＡＭ１２などとの間で直接データのやり取りを行う。
【００２５】
読取部２１は、イメージセンサやＬＥＤ光源などを備え、原稿などから文字や図形などの画像を読み取る。印刷部２２は、たとえばインクジェット方式などにより文字や図形などの画像を用紙上に印刷する。操作部２３は、テンキーや各種の操作キーなどを備え、ユーザの操作に応じた入力信号をＣＰＵ１０に伝える。表示部２４は、たとえば３２０×２４０ドットとした液晶ディスプレイを備え、各種の情報を表示する。無線通信部２５は、図示しないアンテナなどを備え、電波により子機Ｂとの間で音声信号や各種の情報をやり取りする。接続部２６は、ドアホンＣとの間で音声信号をやり取りする。
【００２６】
子機Ｂは、ＣＰＵ３０、ＲＡＭ３２、モデム３３、ＲＯＭ３４、ＮＶＲＡＭ３５、ゲートアレイ３６、コーデック３７、操作部４３、表示部４４、および無線通信部４５などを具備して概略構成されている。ＣＰＵ３０、ＲＡＭ３２、モデム３３、ＲＯＭ３４、ＮＶＲＡＭ３５、ゲートアレイ３６、およびコーデック３７は、バス線４７により相互に接続されている。バス線４７には、アドレスバス、データバス、および制御信号線が含まれる。ゲートアレイ３６には、操作部４３、表示部４４、および無線通信部４５が接続されている。
【００２７】
ＣＰＵ３０は、子機Ｂの動作を制御する。ＲＡＭ３２は、ＣＰＵ３０の作業領域などを提供する。モデム３３は、音声信号の変調や復調などを行う。ＲＯＭ３４は、ＣＰＵ３０が実行すべきプログラムなどを記憶している。ＮＶＲＡＭ３５は、各種の情報やデータを記憶する。ゲートアレイ３６は、ＣＰＵ３０と各部４３〜４５とのインターフェイスとして機能する。コーデック３７は、音声信号やデータなどの符号化や復号化を行う。なお、特に図示しないがコーデック３７には、マイクロホンやスピーカが接続されている。
【００２８】
操作部４３は、テンキーや各種の操作キーなどを備え、ユーザのキー操作に応じた入力信号をＣＰＵ３０に伝える。表示部４４は、たとえば液晶ディスプレイを備え、各種の情報を表示する。無線通信部４５は、図示しないアンテナなどを備え、電波により親機Ａとの間で音声信号や各種の情報をやり取りする。
【００２９】
図２は、子機Ｂの外観を示す外観図であって、この図に示すように子機Ｂは、表示部４４の画面上に表示されたカーソルなどを上下左右に動かすためのスクロール操作キー４３Ａを備えるが、このスクロール操作キー４３Ａには、受話音量を変更する機能も割り当てられている。また、耳元に近づけて用いられる上部には、スピーカ３７Ａが内蔵されており、口元に近づけて用いられる下部には、マイクロホン３７Ｂが内蔵されている。
【００３０】
要点について説明すると、本ファクシミリ装置によれば、たとえば子機Ｂを用いて外線通話や内線通話、さらには親機Ａを経由してドアホンＣとの間で通話を行うことができる。通話に際しては、相手の声が小さ過ぎたり大き過ぎたりすることもあることから、スクロール操作キー４３Ａを操作することで受話音量を変更することができる。また、受話音量の変更に関わらず何らかのキー操作を行う場合には、報知音としてのキー操作音が耳元のスピーカ３７Ａから発生するものとされる。さらに、外線や内線による呼び出し、さらにはドアホンＣからの呼び出しがある場合には、呼び出し元に応じた音色でスピーカ３７Ａから報知音としての呼び出し音が発生するものとされる。
【００３１】
ところで、子機Ｂを用いて通話中にキー操作音や呼び出し音が発生すると、その音が耳元のスピーカ３７Ａを通じて聞こえることとなり、キー操作音や呼び出し音が耳障りとなって通話に支障を来すおそれがある。そのため、本実施形態では、通話中にキー操作音や呼び出し音を発生させる場合、子機ＢのＣＰＵ３０は、待機時における通常の音量よりも小さい音量でキー操作音や呼び出し音を発生させている。
【００３２】
また、子機Ｂは、耳元に近づけて通話を行うといった、いわゆるオフフックによる通話のほか、手に持つことなく置かれた状態でも通話を行うことができる、いわゆるハンズフリー通話によるオンフックでの通話も可能なものである。そのため、キー操作音や呼び出し音の音量は、通話状態にない待機時において最も大きい高レベルとされ、その次にオンフックでの通話中において中レベルとされ、オフフックでの通話中において最も小さい低レベルとなるように、ＣＰＵ３０の制御によって３段階に自動調整されている。
【００３３】
さらに、スクロール操作キー４３Ａを操作して受話音量が所定レベル以上に設定されているときには、通話相手先の音声が比較的大きく聞こえることとなる。そのため、受話音量が所定レベル以上であって、外線通話や内線通話、さらにはドアホンＣとの間で通話中の際には、キー操作音や呼び出し音が確実に聞こえるように、これらの音量を小さくすることなく通常の音量でスピーカ３７Ａからキー操作音や呼び出し音が発生するものとされている。
【００３４】
すなわち、子機ＢのＣＰＵ３０は、他の通信端末との間で通話状態か否かを検出する通話状態検出手段と、通話状態検出手段による検出結果から通話状態にあって、受話音量が所定レベル未満に設定されているか否かを判断する受話音量判断手段と、受話音量判断手段によって受話音量が所定レベル未満に設定されていると判断した際に、所用の操作がなされた場合、待機状態で行う報知とは異なる報知を行う報知制御手段とを実現している。また、ＣＰＵ３０は、通話状態検出手段による検出結果から通話状態にあって、受話音量判断手段によって受話音量が所定レベル未満に設定されていると判断した際に、その通話状態に対応する通信端末以外の他の通信端末から呼び出しがある場合、待機状態で行う報知とは異なる報知を行う報知制御手段を実現している。
【００３５】
一方、子機ＢのＲＯＭ３４に記憶されたプログラムは、コンピュータを、他の通信端末との間で通話を行うことができる一方、所用の操作に応じて報知を行う通信装置として機能させるためのコンピュータプログラムであって、他の通信端末との間で通話状態か否かを検出するための通話状態検出手段と、コンピュータを、通話状態検出手段による検出結果から通話状態にあって、受話音量判断手段によって受話音量が所定レベル未満に設定されていると判断した際に、所用の操作がなされた場合、待機状態で行う報知とは異なる報知を行う報知制御手段として機能させるためのコンピュータプログラムを実現している。また、ＲＯＭ３４に記憶されたプログラムは、コンピュータを、通話状態検出手段による検出結果から通話状態にあって、受話音量判断手段によって受話音量が所定レベル未満に設定されていると判断した際に、その通話状態に対応する通信端末以外の他の通信端末から呼び出しがある場合、待機状態で行う報知とは異なる報知を行う報知制御手段として機能させるためのコンピュータプログラムを実現している。
【００３６】
次に、本ファクシミリ装置における特に子機Ｂの動作について説明する。
【００３７】
図３は、子機Ｂにおける音量自動調整処理の動作手順を示すフローチャートである。この図に示すように、子機ＢのＣＰＵ３０は、通話中にあるか否かを認識している（Ｓ１）。このとき、たとえば外線通話の場合には、ユーザによる外線キーの押下をトリガとして認識され、内線通話の場合には、内線キーの押下をトリガとして認識され、ドアホンＣとの間における通話の場合には、ドアホンＣからの呼び出しに応じてオフフックとされた状態をトリガとして認識される。
【００３８】
通話中の場合（Ｓ１：ＹＥＳ）、ＣＰＵ３０は、受話音量が所定レベル未満に設定されているか否かを判断する（Ｓ２）。
【００３９】
受話音量が所定レベル未満の場合（Ｓ２：ＹＥＳ）、ＣＰＵ３０は、オフフックでの通話モードか否かを判断する（Ｓ３）。
【００４０】
オフフックでの通話モードの場合（Ｓ３：ＹＥＳ）、ＣＰＵ３０は、通話中にユーザによって何らかのキー操作がなされたか否かを監視している（Ｓ４）。
【００４１】
このような監視中に何らかのキー操作が行われた場合（Ｓ４：ＹＥＳ）、ＣＰＵ３０は、キー操作音を低レベルとしてスピーカ３７Ａから発生させる（Ｓ５）。このとき、通話相手先の音声については、あらかじめ設定された受話音量のレベルでスピーカ３７Ａから聞こえるが、そのような音声に対して比較的小さいキー操作音とされることから、通話相手先の音声がキー操作音によって聞き取りにくくなることはない。なお、キー操作に応じて実行すべき動作は、他の割り込み処理に基づいて行われる。
【００４２】
また、ＣＰＵ３０は、通話中に他から呼び出しがあるか否かを監視している（Ｓ６）。たとえば、外線通話中には、親機ＡあるいはドアホンＣからの呼び出し信号を受信することがあり、親機Ａとの間で内線通話中には、外線あるいはドアホンＣからの呼び出し信号を受信することがあり、ドアホンＣとの間で通話中には、外線あるいは親機Ａからの呼び出し信号を受信することがあり、これら呼び出し信号を受信することで呼び出しがあると認識される。なお、外線からの呼び出し信号は、親機Ａを経由して子機Ｂに送信されてくる。
【００４３】
このような監視中に他から呼び出しがある場合（Ｓ６：ＹＥＳ）、ＣＰＵ３０は、呼び出し音を低レベルとしてスピーカ３７Ａから発生させ（Ｓ７）、その後この音量自動調整処理を終える。このときにも、通話相手先の音声については、あらかじめ設定された受話音量のレベルでスピーカ３７Ａから聞こえるが、そのような音声に対して比較的小さい呼び出し音とされることから、通話相手先の音声が呼び出し音によって聞き取りにくくなることはない。また、呼び出し音は、受信した呼び出し信号の発信源に応じて音色の異なるものとして発生される。ユーザは、比較的小さい音量ながらも音色に応じて外線や内線、あるいはドアホンＣからの呼び出しがあることを知ることができる。なお、呼び出し音に応じて通話相手先を切り替えるなどの所定の操作がユーザによってなされた場合には、他の割り込み処理に基づいて呼び出し音の発生が止められる。
【００４４】
一方、Ｓ６において、他から呼び出しがない場合（Ｓ６：ＮＯ）、ＣＰＵ３０は、この音量自動調整処理を終えて元の状態に戻る。このような音量自動調整処理は、極めて短いサイクルの割り込み処理として実行されることとなる。
【００４５】
Ｓ４において、キー操作が特に行われない場合（Ｓ４：ＮＯ）、ＣＰＵ３０は、キー操作音を発生させることなくＳ６に進む。
【００４６】
Ｓ３において、オンフックでの通話モードの場合（Ｓ３：ＮＯ）、この際にもＣＰＵ３０は、通話中にユーザによって何らかのキー操作がなされたか否かを監視している（Ｓ８）。
【００４７】
このような監視中に何らかのキー操作が行われた場合（Ｓ８：ＹＥＳ）、ＣＰＵ３０は、キー操作音を中レベルとしてスピーカ３７Ａから発生させる（Ｓ９）。このときにも、通話相手先の音声については、あらかじめ設定された受話音量のレベルでスピーカ３７Ａから聞こえるが、そのような音声よりも小さい中レベルのキー操作音とされることから、通話相手先の音声がキー操作音によって聞き取りにくくなることはない。
【００４８】
また、オンフックでの通話モードにおいても、ＣＰＵ３０は、通話中に他から呼び出しがあるか否かを監視している（Ｓ１０）。
【００４９】
このような監視中に他から呼び出しがある場合（Ｓ１０：ＹＥＳ）、ＣＰＵ３０は、呼び出し音を中レベルとしてスピーカ３７Ａから発生させ（Ｓ１１）、その後この音量自動調整処理を終える。このときにも、通話相手先の音声については、あらかじめ設定された受話音量のレベルでスピーカ３７Ａから聞こえるが、そのような音声よりも小さい中レベルの呼び出し音とされることから、通話相手先の音声が呼び出し音によって聞き取りにくくなることはない。
【００５０】
Ｓ１０において、他から呼び出しがない場合（Ｓ１０：ＮＯ）、ＣＰＵ３０は、この音量自動調整処理を終えて元の状態に戻る。
【００５１】
Ｓ８において、キー操作が特に行われない場合（Ｓ８：ＮＯ）、ＣＰＵ３０は、キー操作音を発生させることなくＳ１０に進む。
【００５２】
一方、Ｓ２において、受話音量が所定レベル以上の場合（Ｓ２：ＮＯ）、この際にもＣＰＵ３０は、通話中にユーザによって何らかのキー操作がなされたか否かを監視している（Ｓ１２）。
【００５３】
このような監視中に何らかのキー操作が行われた場合（Ｓ１２：ＹＥＳ）、ＣＰＵ３０は、キー操作音を高レベルとしてスピーカ３７Ａから発生させる（Ｓ１３）。つまり、受話音量がある程度高いレベルに設定され、通話相手先の音声が大きな音量で聞こえる場合には、そのような音声によってもキー操作音がはっきりと聞こえるように比較的大きな音量とされるのである。
【００５４】
また、受話音量を所定レベル以上とした通話中においても、ＣＰＵ３０は、通話中に他から呼び出しがあるか否かを監視している（Ｓ１４）。
【００５５】
このような監視中に他から呼び出しがある場合（Ｓ１４：ＹＥＳ）、ＣＰＵ３０は、呼び出し音を高レベルとしてスピーカ３７Ａから発生させ（Ｓ１５）、その後この音量自動調整処理を終える。つまり、受話音量がある程度高いレベルに設定され、通話相手先の音声が大きな音量で聞こえる場合には、そのような音声によっても呼び出し音がはっきりと聞こえるように比較的大きな音量とされるのである。
【００５６】
Ｓ１４において、他から呼び出しがない場合（Ｓ１４：ＮＯ）、ＣＰＵ３０は、この音量自動調整処理を終えて元の状態に戻る。
【００５７】
Ｓ１２において、キー操作が特に行われない場合（Ｓ１２：ＮＯ）、ＣＰＵ３０は、キー操作音を発生させることなくＳ１４に進む。
【００５８】
Ｓ１において、たとえば待機状態などの通話中にない場合（Ｓ１：ＮＯ）、ＣＰＵ３０は、Ｓ１２に進むこととなる。つまり、通話の行われていない状態では、キー操作音や呼び出し音がはっきりと聞こえるように比較的大きな音量で発生されることとなる。
【００５９】
したがって、上記ファクシミリ装置の子機Ｂによれば、たとえば通話中に受話音量のレベルを変更するためのキー操作を行っても、比較的小さい音量でキー操作音が発生するので、そのようなキー操作音を耳障りとすることなく通話相手の音声を聞き取りやすくすることができる。
【００６０】
また、たとえば親機Ａとの間で内線通話中に外線やドアホンＣからの呼び出しがあっても、比較的小さい音量で呼び出し音が発生するので、そのような呼び出し音を耳障りとすることなく通話相手の音声を聞き取りやすくすることができる。
【００６１】
なお、本発明は、上記実施形態に限定されるものではない。
【００６２】
他の実施形態としては、図４ないし図６に示すような構成、動作としても良い。簡単に説明すると、図４ないし図６は、基本的には先述の実施形態を説明する際に参照した図１ないし図３のそれぞれに対応するものであって、これら図１ないし図３と同様の内容については適宜説明を省略するが、図４および図５に示すように、他の実施形態では、呼び出しがある旨を点滅によって報知するためのランプ５０や、振動によって報知するためのバイブレータ５１（図５においては図示省略）が設けられている。ランプ５０は、図６に示すように、オンフック通話時に他から呼び出しがある場合（Ｓ１１０：ＹＥＳ）、ＣＰＵ３０によって点滅するものとされる（Ｓ１１１）。バイブレータ５１は、オフフック通話時に他から呼び出しがある場合（Ｓ１０６：ＹＥＳ）、ＣＰＵ３０によって振動するものとされる（Ｓ１０７）。なお、ランプ５０は、呼び出し時に必ず点滅するようにしても良い。この場合、Ｓ１１１においてはランプ５０の点滅のみが行われ、Ｓ１１５においては呼び出し音の発生とともにランプ５０の点滅が行われ、Ｓ１０７においてはバイブレータ５１の振動発生とともにランプ５０の点滅が行われる。ただし、Ｓ１０７においては、子機Ｂを使用者が手に持っている（場合によっては耳に当てている）ので、ランプ５０の点滅をしないように制御しても良い。
【００６３】
上記の各実施形態では、特に子機Ｂについて説明したが、親機Ａについても同様とすることができる。
【００６４】
通話中に受信する呼び出し信号としては、外線通話中に割り込んで聞こえる他の外線先からの呼び出し信号や、内線通話中に割り込んで聞こえる他の内線先からの呼び出し信号であっても良い。
【００６５】
子機Ｂは、ケーブルを介して親機Ａに接続されていても良く、また、ドアホンＣは、無線により親機Ａや子機Ｂとの間で音声をやり取りするものとしても良い。
【００６６】
また、保留音再生中の呼び出し信号は、通話中のオンフック状態であるため、図３のフローチャートによれば音量は「中」となるが、これを「大」とするように制御しても良い。
【００６７】
また、上述の各実施形態において、通話中でない場合は一律に呼び出し音が高レベルであったが、これに限らず、たとえば電話帳登録やファンクションキーへのコマンド登録などのキー操作中（Ｓ１２，Ｓ１１２：ＹＥＳ）に呼び出し音があった場合、呼び出し音を中または低レベルとしたり、呼び出し音を鳴らさずランプ５０の点滅やバイブレータ５１の作動に代えるようにしても良い。
【００６８】
さらに、呼び出し音の変化のさせ方は、上記実施形態のような音量レベルの変化に限られず、周波数やデューティ比を変化させたり、テンポを変えるようにしても良い。
【００６９】
また、いかなる場合にいかなる報知方法（報知手段）を用いるかについては、ユーザが任意に設定可能としても良い。
【００７０】
【発明の効果】
以上説明したように、請求項１に記載した発明の通信装置によれば、たとえば通話中に受話音量を変更するためのキー操作を行っても、受話音量が所定レベル未満に設定されている場合は、待機状態とは異なる報知（キー操作音など）が発生するので、通話相手の音声を聞き取りやすくしつつその音によってかき消されないように適切に操作状態を使用者に報知することができる。
【００７１】
また、請求項２に記載した発明の通信装置によれば、たとえば内線通話中に外線やドアホンからの呼び出しがあっても、受話音量が所定レベル未満に設定されている場合は、待機状態とは異なる報知（たとえば、待機状態より小さな呼び出し音）が発生するので、通話相手の音声を聞き取りやすくしつつその音によってかき消されないように適切に呼び出しの有無を使用者に覚知させることができる。
【００７２】
さらに、請求項３に記載した発明の通信装置によれば、請求項２に記載の通信装置による効果に加えて、所用の操作中に他の端末から呼び出しがある場合にも待機状態で行う報知とは異なる報知を行うため、装置の操作状態に適した報知を行うことができる。たとえば、電話帳やコマンド登録などの各種操作を行っているときに呼び出しがあったような場合に、完全な待機状態とは異なる態様の報知を行うことで、上記操作に対する支障なく報知を適切に行うことができる。
【００７３】
また、請求項４に記載した発明の通信装置によれば、請求項１ないし３のいずれかに記載の通信装置による効果に加えて、状況に応じて報知音の音量を小さくしたり大きくしたりすることが自動的にできる。
【００７４】
さらに、請求項５に記載した発明の通信装置によれば、請求項１ないし４のいずれかに記載の通信装置による効果に加えて、待機状態における報知音としての操作音または呼び出し音を通常の音量とすれば、いわゆるハンズフリー通話によるオンフックでの通話中における操作音または呼び出し音を通常より小さくでき、ハンドセットを耳元に近づけて使用するオフフックでの通話中には、操作音または呼び出し音をさらに小さくできるので、これら操作音や呼び出し音が耳障りとなりやすい使用形態に応じて段階的に操作音や呼び出し音の音量を自動調整することができる。
【００７５】
また、請求項６に記載した発明の通信装置によれば、請求項２または３に記載の通信装置と同様の効果を奏する。
【００７６】
さらに、請求項７に記載した発明のコンピュータプログラムによれば、その内容に基づいてＣＰＵを動作させることにより、請求項１に記載の通信装置の動作を実現することができる。したがって、たとえばパーソナルコンピュータやＰＤＡ（Personal Digital Assistant）を用いて請求項１に記載の通信装置を実現することが容易である。
【００７７】
また、請求項８に記載した発明のコンピュータプログラムによれば、その内容に基づいてＣＰＵを動作させることにより、上述と同様に、請求項２に記載の通信装置の動作を実現することができる。
【図面の簡単な説明】
【図１】本発明に係る通信装置の一実施形態として、ファクシミリ装置を示すブロック図である
。
【図２】子機の外観を示す外観図である。
【図３】子機における音量自動調整処理の動作手順を示すフローチャートである。
【図４】本発明に係る通信装置の他の実施形態として、ファクシミリ装置を示すブロック図であ
る。
【図５】他の実施形態に係る子機の外観を示す外観図である。
【図６】子機における音量自動調整処理の動作手順を示すフローチャートである。
【符号の説明】
１０  ＣＰＵ
１１  ＮＣＵ
１２  ＲＡＭ
１３  モデム
１４  ＲＯＭ
１５  ＮＶＲＡＭ
１６  ゲートアレイ
１７  コーデック
１８  ＤＭＡＣ
２１  読取部
２２  印刷部
２３  操作部
２４  表示部
２５  無線通信部
２６  接続部
２８  公衆電話回線
３０  ＣＰＵ
３２  ＲＡＭ
３３  モデム
３４  ＲＯＭ
３５  ＮＶＲＡＭ
３６  ゲートアレイ
３７  コーデック
４３  操作部
４４  表示部
４５  無線通信部
５０  ランプ
５１  バイブレータ
Ａ    ファクシミリ装置本体（親機）
Ｂ    コードレス電話機（子機）
Ｃ    ドアホン
【図１】
0003603798.tif 000002
【図２】
0003603798.tif 000003
【図３】
0003603798.tif 000004
【図４】
0003603798.tif 000005
【図５】
0003603798.tif 000006
【図６】
0003603798.tif 000007